(57)【要約】      （修正有）【課題】軽量でありながら、高い光学性能を有する接眼レンズを提供する。【解決手段】非球面形状のレンズ面を有する樹脂レンズを含み、５枚以上のレンズを備える接眼レンズであって、樹脂レンズの物体側と観察側に、それぞれガラス材料を用いたレンズを配置し、樹脂レンズの材料のｄ線を基準としたアッベ数をνｄとしたとき、５．０＜νｄ＜３０．０を満足すること。【選択図】図１
2016051062.tif 000002
【特許請求の範囲】
【請求項１】
５枚以上のレンズを含む接眼レンズであって、
レンズの材料のｄ線を基準としたアッベ数をνｄとしたとき、
５．０＜νｄ＜３０．０
なる条件式を満足し、非球面形状のレンズ面を有する樹脂レンズＲを含み、
前記樹脂レンズＲの物体側と観察側に、それぞれガラス材料を用いたレンズが配置されていることを特徴とする接眼レンズ。
【請求項２】
正の屈折力のレンズと負の屈折力のレンズをそれぞれ２枚以上含むことを特徴とする請求項１に記載の接眼レンズ。
【請求項３】
前記樹脂レンズＲの焦点距離をｆＲ、前記接眼レンズ全系の焦点距離をｆとしたとき、前記接眼レンズに含まれる全ての樹脂レンズが、
−１５．００＜ｆＲ／ｆ＜０．００
なる条件式を満足することを特徴とする請求項１または２に記載の接眼レンズ。
【請求項４】
前記樹脂レンズＲの物体側のレンズ面の曲率半径をＲ１、観察側のレンズ面の曲率半径をＲ２としたとき、前記接眼レンズに含まれる全ての樹脂レンズが、
０．３０＜｜Ｒ１＋Ｒ２｜／｜Ｒ１−Ｒ２｜＜２０．００
なる条件式を満足することを特徴とする請求項１乃至３のいずれか１項に記載の接眼レンズ。
【請求項５】
前記接眼レンズの中で最も観察側に配置されたレンズの材料のｄ線を基準とした屈折率をｎｄＥとしたとき、
１．４５０＜ｎｄＥ＜２．１００
なる条件式を満足することを特徴とする請求項１乃至４のいずれか１項に記載の接眼レンズ。
【請求項６】
前記樹脂レンズＲの材料は、熱可塑性樹脂であることを特徴とする請求項１乃至５のいずれか１項に記載の接眼レンズ。
【請求項７】
物体側より観察側へ順に、正の屈折力の第１レンズ、負の屈折力の第２レンズ、正の屈折力の第３レンズ、負の屈折力の第４レンズ、正の屈折力の第５レンズより構成されることを特徴とする請求項１乃至６のいずれか１項に記載の接眼レンズ。
【請求項８】
物体側より観察側へ順に、正の屈折力の第１レンズ、負の屈折力の第２レンズ、正の屈折力の第３レンズ、負の屈折力の第４レンズ、正の屈折力の第５レンズ、正の屈折力の第６レンズより構成されることを特徴とする請求項１乃至６のいずれか１項に記載の接眼レンズ。
【請求項９】
視度調整に際して、前記接眼レンズを構成する全てのレンズが一体的に移動することを特徴とする請求項１乃至８のいずれか１項に記載の接眼レンズ。
【請求項１０】
画像を表示する画像表示素子と、該画像表示素子の画像表示面に表示される画像を請求項１乃至９のいずれか１項に記載の接眼レンズで観察する観察装置であって、前記画像表示面の対角長をＨ、前記接眼レンズの全系の焦点距離をｆとするとき、
０．５２＜Ｈ／ｆ＜０．９１
なる条件式を満足することを特徴とする観察装置。
【請求項１１】
撮像素子と、
前記撮像素子に物体像を形成する撮像光学系と、
前記物体像を表示する画像表示素子と、
前記画像表示素子で表示された画像を観察するために用いられる請求項１乃至９のいずれか１項に記載の接眼レンズを有することを特徴とする撮像装置。
【発明の詳細な説明】
【技術分野】
【０００１】
本発明は、接眼レンズ及びそれを有する観察装置、撮像装置に関し、例えばビデオカメラ、スチルカメラ、放送用カメラに用いられる電子ビューファインダーにおいて、画像表示素子に表示される画像を観察するのに好適なものである。
【背景技術】
【０００２】
従来、ビデオカメラや放送用カメラ等の光学機器に用いられる電子ビューファインダーには、カメラ内部に備え付けられた液晶画面に表示した画像を拡大観察するための接眼レンズが備えられている。
【０００３】
近年、高い光学性能を有し、軽量化が実現されたビデオカメラや放送用カメラ等の光学機器が求められている。これに伴い、ビデオカメラや放送用カメラ等に備えられるビューファインダー及びビューファインダーを構成する接眼レンズも、軽量であり、高精細な観察像を得られるものであることが求められる。
【０００４】
接眼レンズを構成するレンズの枚数を増やすことで、諸収差を補正し、光学性能の向上を図った接眼レンズが知られている（特許文献１）。
【０００５】
特許文献１の接眼レンズは、５枚以上のレンズを用いて接眼レンズを構成することで、光学性能の向上を図っている。
【先行技術文献】
【特許文献】
【０００６】
【特許文献１】特開２０１３−４５０２０号公報
【発明の概要】
【発明が解決しようとする課題】
【０００７】
上記のように、高い光学性能を有する接眼レンズを得るために、５枚以上のレンズを用いて接眼レンズを構成することが知られている。
【０００８】
特許文献１の接眼レンズでは、非球面形状の面を有するレンズを２枚以上用いることで光学性能の向上を図っているが、接眼レンズの軽量化を十分に実現できているとはいえない。また、最も画像表示側に配置されたレンズや最も観察側に配置されたレンズの材料に樹脂を用いているため、太陽光等の紫外線が樹脂レンズに照射されやすく、接眼レンズが置かれる環境の影響を受けやすくなる。
【０００９】
一般的に樹脂材料を用いたレンズは、ガラスレンズに比べて、紫外線に対する耐久性が低く、表面形状や内部構造の変形を起こしやすい。また、樹脂材料を用いたレンズは、高湿度の環境に対する耐久性も低く、吸湿による表面形状や内部構造の変形を起こしやすい。
【００１０】
ゆえに、最も画像表示側に配置されたレンズや最も観察側に配置されたレンズの材料に樹脂を用いると、接眼レンズの光学性能の低下を招きやすくなる。
【００１１】
本発明は、軽量でありながら、高い光学性能を有する接眼レンズ及びそれを有する観察装置、撮像装置を提供することを目的とする。
【課題を解決するための手段】
【００１２】
本発明の接眼レンズは、５枚以上のレンズを含む接眼レンズであって、レンズの材料のｄ線を基準としたアッベ数をνｄとしたとき、
５．０＜νｄ＜３０．０
なる条件式を満足し、非球面形状のレンズ面を有する樹脂レンズＲを含み、前記樹脂レンズＲの物体側と観察側に、それぞれガラス材料を用いたレンズが配置されていることを特徴とする。
【発明の効果】
【００１３】
本発明によれば、軽量でありながら、高い光学性能を有する接眼レンズが得られる。
【図面の簡単な説明】
【００１４】
【図１】本発明の実施例１の接眼レンズのレンズ断面図
【図２】本発明の実施例１の接眼レンズの各収差図
【図３】本発明の実施例２の接眼レンズのレンズ断面図
【図４】本発明の実施例２の接眼レンズの各収差図
【図５】本発明の実施例３の接眼レンズのレンズ断面図
【図６】本発明の実施例３の接眼レンズの各収差図
【図７】本発明の実施例４の接眼レンズのレンズ断面図
【図８】本発明の実施例４の接眼レンズの各収差図
【図９】本発明の実施例５の接眼レンズのレンズ断面図
【図１０】本発明の実施例５の接眼レンズの各収差図
【図１１】本発明の撮像装置の要部概略図
【発明を実施するための形態】
【００１５】
以下、本発明の接眼レンズ及びそれを有する観察装置、撮像装置について添付の図面に基づいて詳細に説明する。本発明の接眼レンズは、非球面形状のレンズ面を有する樹脂レンズを含む、５枚以上のレンズを有する。
【００１６】
図１は、実施例１の接眼レンズの視度が−２．０ディオプター（基準状態）、２．５ディオプター、−６．０ディオプターのときのレンズ断面図である。図２は、実施例１の接眼レンズの基準状態における収差図である。
【００１７】
図３は、実施例２の接眼レンズの視度が−２．０ディオプター（基準状態）、０．７ディオプター、−３．３ディオプターのときのレンズ断面図である。図４は、実施例２の接眼レンズの基準状態における収差図である。
【００１８】
図５は、実施例３の接眼レンズの視度が−２．０ディオプター（基準状態）、２．０ディオプター、−４．０ディオプターのときのレンズ断面図である。図６は、実施例３の接眼レンズの基準状態における収差図である。
【００１９】
図７は、実施例４の接眼レンズの視度が−２．０ディオプター（基準状態）、２．０ディオプター、−４．０ディオプターのときのレンズ断面図である。図８は、実施例４の接眼レンズの基準状態における収差図である。
【００２０】
図９は、実施例５の接眼レンズの視度が−２．０ディオプター（基準状態）、２．０ディオプター、−４．０ディオプターのときのレンズ断面図である。図１０は、実施例５の接眼レンズの基準状態における収差図である。
【００２１】
図１１は本発明の接眼レンズを備える撮像装置の要部概略図である。
【００２２】
各実施例の接眼レンズＬは、例えば、デジタルカメラやビデオカメラ等の撮像装置の電子ビューファインダーに用いられる。レンズ断面図において左方は画像表示面側（物体側）であり、右方は観察側（アイポイント側）である。Ｉは、液晶素子や有機ＥＬ素子等の画像表示素子の画像表示面である。
【００２３】
実施例１乃至３の接眼レンズＬは、物体側から観察側へ順に、正の屈折力の第１レンズＧ１、負の屈折力の第２レンズＧ２、正の屈折力の第３レンズＧ３、負の屈折力の第４レンズＧ４、正の屈折力の第５レンズＧ５から成る。
【００２４】
実施例４及び５の接眼レンズＬは、物体側から観察側へ順に、正の屈折力の第１レンズＧ１、負の屈折力の第２レンズＧ２、正の屈折力の第３レンズＧ３、負の屈折力の第４レンズＧ４、正の屈折力の第５レンズＧ５、正の屈折力の第６レンズＧ６から成る。
【００２５】
ＥＰは、表示面に表示された像をユーザが観察するためのアイポイントである。なお、画像表示面Ｉから第１レンズの画像表示面側のレンズ面までの間に、画像表示面やレンズを保護するためのプレート等を設けても良い。また、接眼レンズＬとアイポイントＥＰの間に、レンズを保護するためのプレート等を設けても良い。ここで、画像表示面Ｉから出射された軸外光線が、観察者の瞳を通過することができる範囲で、アイポイントＥＰを光軸方向に移動させてもよい。
【００２６】
各収差図では、ファインダー視度が基準状態であるときに各実施例の接眼レンズにおいて発生する収差を示している。
【００２７】
球面収差図においては、ｄ線（波長５８７．６ｎｍ）、ｇ線（波長４３５．８ｎｍ）に対する球面収差を示している。非点収差図においてＳはサジタル像面、Ｍはメリディオナル像面である。歪曲収差はｄ線について示している。色収差図ではｇ線における色収差を示している。
【００２８】
本発明の接眼レンズでは、非球面形状のレンズ面を有する樹脂レンズを用いることで、歪曲収差や像面湾曲等の軸外収差を良好に補正している。ここで、樹脂レンズは樹脂材料を用いたレンズを意味する。樹脂レンズは、樹脂材料のみから成るレンズであってもよいし、ＩＴＯ（酸化インジウムスズ）やＴｉＯ２（酸化チタン）のようなナノ微粒子を樹脂材料中に分散させたものでもよい。
【００２９】
本発明の接眼レンズでは、非球面形状のレンズ面を有する樹脂レンズの材料として比重の小さい樹脂を用いることで、接眼レンズを構成するレンズを大幅に軽量化している。
【００３０】
樹脂レンズは、ガラス材料を用いたレンズと比較して、レンズ面を非球面形状とすることが容易であり、また、一般に、樹脂材料はガラス材料としてコストが低い。ゆえに、非球面形状の面を有するレンズ（以下、非球面レンズと記載する）の材料を樹脂材料とすることで、製造コストや材料費を低減させることができる。
【００３１】
一方、樹脂材料は、ガラス材料と比較して、温度変動や湿度変動に伴う屈折率及び形状の変化が大きく、外部環境に応じて光学特性が変化しやすい。そこで、本発明の接眼レンズでは、樹脂レンズの物体側及び観察側のそれぞれに、ガラス材料を用いたレンズを配置することにより、外部環境が変化しても接眼レンズ全体としての光学特性が大きく変化しないようにしている。
【００３２】
また、アイレリーフが長く、広視野角でありながら、良好な光学性能を有する接眼レンズを実現するためには、接眼レンズを構成するレンズの枚数を増やす必要がある。そこで、本発明の接眼レンズでは５枚以上のレンズを用いて接眼レンズを構成している。
【００３３】
レンズの材料のｄ線を基準としたアッベ数をνｄとしたとき、各実施例の接眼レンズは、
５．０＜νｄ＜３０．０…（１）
なる条件式を満足する樹脂レンズＲを有する。
【００３４】
ここで、アッベ数νｄは、Ｆ線（４８６．１ｎｍ）、Ｃ線（６５６．３ｎｍ）、ｄ線（５８７．６ｎｍ）に対する材料の屈折率をそれぞれＮＦ、ＮＣ、Ｎｄとするとき、
νｄ＝（Ｎｄ−１）／（ＮＦ−ＮＣ）
で表される数値である。
【００３５】
条件式（１）は、樹脂レンズＲの材料のアッベ数νｄを規定した条件式である。条件式（１）の下限値を超えて樹脂レンズＲの材料のアッベ数νｄが小さくなると、色収差が過剰に補正されることになり好ましくない。また、レンズ材料として選択可能な樹脂材料が限定されてしまうため好ましくない。条件式（１）の上限値を超えて樹脂レンズＲの材料のアッベ数νｄが大きくなると、接眼レンズにおいて色収差を十分に補正することが困難になるため、好ましくない。
【００３６】
各実施例の接眼レンズにおいて、条件式（１）を満足する樹脂材料を用いた非球面レンズを用いることにより、軽量でありながら、高い光学性能を有する接眼レンズを得ることができる。
【００３７】
なお、各実施例において、好ましくは条件式（１）の数値範囲を次のようにするのがよい。
１０．０＜νｄ＜２７．０…（１ａ）
【００３８】
また、更に好ましくは条件式（１）の数値範囲を次の如く設定するのが良い。
２０．０＜νｄ＜２５．０…（１ｂ）
【００３９】
ここで、各実施例の接眼レンズＬでは、全てのレンズを光軸方向に一体的に移動させることにより視度調整を行うことができる。各レンズを一体的に移動させることにより、視度変化に伴うコマ収差の変動を小さくすることができる。
【００４０】
さらに、各実施例において、次の条件式のうち１つ以上を満足することがより好ましい。
−１５．００＜ｆＲ／ｆ＜０．００…（２）
０．３０＜｜Ｒ１＋Ｒ２｜／｜Ｒ１−Ｒ２｜＜２０．００…（３）
１．４５０＜ｎｄＥ＜２．１００…（４）
【００４１】
ここで、樹脂レンズＲの焦点距離をｆＲ、接眼レンズ全系の焦点距離をｆ、樹脂レンズＲの物体側のレンズ面の曲率半径をＲ１、観察側のレンズ面の曲率半径をＲ２とする。また、接眼レンズの中で最も観察側に配置されたレンズの材料のｄ線を基準とした屈折率をｎｄＥとする。
【００４２】
条件式（２）は、樹脂レンズＲの焦点距離ｆＲと接眼レンズ全系の焦点距離ｆの比を規定したものである。
【００４３】
条件式（２）の下限値を超えて、樹脂レンズＲの焦点距離ｆＲが長くなると、樹脂レンズＲの屈折力が弱くなり過ぎて、色収差を十分に補正することが困難になるため好ましくない。
【００４４】
条件式（２）の上限値を超えて、樹脂レンズＲの焦点距離ｆＲが短くなると、樹脂レンズＲの屈折力が強くなり過ぎる。樹脂レンズＲの屈折力を強めるためには、樹脂レンズＲのレンズ面の曲率を大きくする必要が生じ、高次収差が多く発生するため好ましくない。
【００４５】
条件式（３）は、樹脂レンズＲのシェイプファクターを規定したものである。条件式（３）の下限値を超えると、樹脂レンズＲの物体側のレンズ面と観察側のレンズ面のうち、いずれかのレンズ面の曲率半径が小さくなり過ぎる。その結果、画像表示面側から入射する光線が、樹脂レンズＲにより大きく発散されるため、樹脂レンズＲよりも観察側に配置されるレンズの有効径が増大してしまうため、好ましくない。
【００４６】
条件式（３）の上限値を超えると、樹脂レンズＲの物体側のレンズ面の曲率半径Ｒ１と観察側のレンズ面の曲率半径Ｒ２の差が小さくなり過ぎる。その結果、特にコマ収差を良好に補正することが困難になるため好ましくない。
【００４７】
条件式（４）は、接眼レンズの最も観察側に配置されたレンズの材料の屈折率ｎｄＥを規定する条件式である。
【００４８】
条件式（４）の下限値を超えて、接眼レンズの最も観察側に配置されたレンズの材料の屈折率ｎｄＥが小さくなりすぎると、屈折力を確保するために、接眼レンズの最も観察側に配置されたレンズの曲率を大きくする必要が生じる。その結果、接眼レンズの最も観察側に配置されたレンズで発生する球面収差やコマ収差を十分に補正することが困難になるため、好ましくない。
【００４９】
条件式（４）の上限値を超えて、接眼レンズの最も観察側に配置されたレンズの材料の屈折率ｎｄＥが大きくなりすぎると、レンズ材料として選択可能な材料が限定されてしまうため好ましくない。
【００５０】
なお、好ましくは条件式（２）乃至（４）の数値範囲を次の如く設定すると、各条件式がもたらす効果を最大限に得ることができる。
−１３．００＜ｆＲ／ｆ＜−０．４０…（２ａ）
０．５０＜｜Ｒ１＋Ｒ２｜／｜Ｒ１−Ｒ２｜＜１５．００…（３ａ）
１．５１０＜ｎｄＥ＜１．９５０…（４ａ）
【００５１】
更に好ましくは条件式（２）乃至（４）の数値範囲を次の如く設定するのが良い。
−１２．００＜ｆＲ／ｆ＜−０．５０…（２ｂ）
０．６５＜｜Ｒ１＋Ｒ２｜／｜Ｒ１−Ｒ２｜＜１２．００…（３ｂ）
１．７６０＜ｎｄＥ＜１．８５０…（４ｂ）
【００５２】
また、画像表示面Ｉに表示される画像を観察する観察装置に対して各実施例の接眼レンズＬを用いるときには、次の条件式を満足するのが良い。
０．５２＜Ｈ／ｆ＜０．９１…（５）
【００５３】
ここで、画像表示面Ｉの対角長をＨとする。
【００５４】
条件式（５）は、画像表示面Ｉの対角長Ｈと、接眼レンズの焦点距離ｆの比を規定した条件式である。
【００５５】
条件式（５）の下限値を超えて接眼レンズの焦点距離ｆが長くなり過ぎると、視野角が狭くなり過ぎてしまうため好ましくない。
【００５６】
条件式（５）の上限値を超えて接眼レンズの焦点距離ｆが短くなり過ぎると、観察側に配置されたレンズの有効径が大きくなり過ぎる。その結果、観察側に配置されたレンズにおいて、コマ収差や非点収差等の軸外収差が多く発生するため好ましくない。
【００５７】
なお、各実施例において、好ましくは条件式（５）の数値範囲を次のようにするのがよい。
０．５５＜Ｈ／ｆ＜０．８８…（５ａ）
【００５８】
また、更に好ましくは条件式（５）の数値範囲を次の如く設定するのが良い。
０．６０＜Ｈ／ｆ＜０．８５…（５ｂ）
【００５９】
次に各実施例の接眼レンズのレンズ構成について説明する。各実施例の接眼レンズにおいて、最も物体側に配置されたレンズと、最も観察側に配置されたレンズの材料はガラスである。
【００６０】
実施例１の接眼レンズは、物体側から観察側へ順に、正の屈折力の第１レンズ、負の屈折力の第２レンズ、正の屈折力の第３レンズ、負の屈折力の第４レンズ、正の屈折力の第５レンズより構成される。負の屈折力の第２レンズ、正の屈折力の第３レンズ、負の屈折力の第４レンズは樹脂レンズである。
【００６１】
第２レンズ、第４レンズの材料は、ポリカーボネート樹脂（比重１．２４、屈折率の温度係数ｄｎ／ｄＴ＝−１２．０×１０−５、吸水率０．３５％）である。第３レンズの材料は、シクロオレフィン樹脂（比重１．０１、屈折率の温度係数ｄｎ／ｄＴ＝−１１．０×１０−５、吸水率０．０１％未満）である。第２レンズ、第３レンズ、第４レンズの各レンズ面を非球面形状にすることで、コマ収差や非点収差、歪曲収差等を良好に補正している。
【００６２】
実施例１の接眼レンズを含むファインダーは、画像表示面の対角長Ｈ＝１８．２ｍｍ、アイレリーフ２７．０ｍｍ、視野角３５．０度である。
【００６３】
実施例２の接眼レンズは、物体側から観察側へ順に、正の屈折力の第１レンズ、負の屈折力の第２レンズ、正の屈折力の第３レンズ、負の屈折力の第４レンズ、正の屈折力の第５レンズより構成される。負の屈折力の第４レンズは樹脂レンズである。第４レンズの材料は、ポリカーボネート樹脂（比重１．２４、屈折率の温度係数ｄｎ／ｄＴ＝−１２．０×１０−５、吸水率０．３５％）である。第３レンズ、第４レンズの各レンズ面を非球面形状にすることで、コマ収差や非点収差、歪曲収差等を良好に補正している。
【００６４】
実施例２の接眼レンズを含むファインダーは、画像表示面の対角長Ｈ＝５０．８ｍｍ、アイレリーフ２７．０ｍｍ、視野角４５．０度である。
【００６５】
実施例３の接眼レンズは、物体側から観察側へ順に、正の屈折力の第１レンズ、負の屈折力の第２レンズ、正の屈折力の第３レンズ、負の屈折力の第４レンズ、正の屈折力の第５レンズより構成される。負の屈折力の第２レンズ、正の屈折力の第３レンズ、負の屈折力の第４レンズは樹脂レンズである。
【００６６】
第２レンズ、第４レンズの材料は、ポリカーボネート樹脂（比重１．２４、屈折率の温度係数ｄｎ／ｄＴ＝−１２．０×１０−５、吸水率０．３５％）である。第３レンズの材料は、メタクリル樹脂（比重１．１９、屈折率の温度係数ｄｎ／ｄＴ＝−１３．０×１０−５、吸水率０．３％）である。第１レンズ、第２レンズ、第３レンズ、第４レンズ、第５レンズの各レンズ面を非球面形状にすることで、コマ収差や非点収差、歪曲収差等を良好に補正している。
【００６７】
実施例３の接眼レンズを含むファインダーは、画像表示面の対角長Ｈ＝７６．２ｍｍ、アイレリーフ２７．０ｍｍ、視野角４５．０度である。
【００６８】
実施例４の接眼レンズは、物体側から観察側へ順に、正の屈折力の第１レンズ、負の屈折力の第２レンズ、正の屈折力の第３レンズ、負の屈折力の第４レンズ、正の屈折力の第５レンズ、正の屈折力の第６レンズより構成される。負の屈折力の第２レンズ、正の屈折力の第３レンズ、負の屈折力の第４レンズは樹脂レンズである。
【００６９】
第２レンズ、第４レンズの材料は、ポリカーボネート樹脂（比重１．２４、屈折率の温度係数ｄｎ／ｄＴ＝−１２．０×１０−５、吸水率０．３５％）である。第３レンズＧ３の材料は、シクロオレフィン樹脂（比重１．０１、屈折率の温度係数ｄｎ／ｄＴ＝−１１．０×１０−５、吸水率０．０１％未満）である。第２レンズ、第３レンズ、第４レンズの各レンズ面を非球面形状にすることで、コマ収差や非点収差、歪曲収差等を良好に補正している。
【００７０】
実施例４の接眼レンズを含むファインダーは、画像表示面の対角長Ｈ＝７６．２ｍｍ、アイレリーフ２７．０ｍｍ、視野角４０．０度である。
【００７１】
実施例５の接眼レンズは、物体側から観察側へ順に、正の屈折力の第１レンズ、負の屈折力の第２レンズ、正の屈折力の第３レンズ、負の屈折力の第４レンズ、正の屈折力の第５レンズ、正の屈折力の第６レンズより構成される。負の屈折力の第２レンズ、正の屈折力の第３レンズ、負の屈折力の第４レンズ、正の屈折力の第５レンズは樹脂レンズである。
【００７２】
第２レンズ、第４レンズの材料は、ポリカーボネート樹脂（比重１．２４、屈折率の温度係数ｄｎ／ｄＴ＝−１２．０×１０−５、吸水率０．３５％）である。第３レンズ、第５レンズの材料は、シクロオレフィン樹脂（比重１．０１、屈折率の温度係数ｄｎ／ｄＴ＝−１１．０×１０−５、吸水率０．０１％未満）である。第２レンズ、第３レンズ、第４レンズ、第５レンズの各レンズ面を非球面形状にすることで、コマ収差や非点収差、歪曲収差等を良好に補正している。
【００７３】
実施例５の接眼レンズを含むファインダーは、画像表示面の対角長Ｈ＝３８．１ｍｍ、アイレリーフ２７．０ｍｍ、視野角４５．０度である。
【００７４】
各実施例の接眼レンズは、正の屈折力の樹脂レンズと負の屈折力の樹脂レンズを、それぞれ２枚以上含む。これにより、軸上色収差や倍率色収差を良好に補正することができる。
【００７５】
また、各実施例の接眼レンズは、熱可塑性樹脂を用いた樹脂レンズを含む。熱可塑性の樹脂は、加熱したときに軟化しやすいため、樹脂レンズを容易に成形することができる。熱可塑性樹脂を含むレンズを用いることで、接眼レンズの製造コストを削減することができる。
【００７６】
次に、本発明の実施例１〜５にそれぞれ対応する数値実施例１〜５を示す。各数値実施例において、ｉは画像表示面側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。ｒ１は画像表示面を示し、最も観察側の面はアイポイントＥＰを示す。
【００７７】
またｋを離心率、Ａ４、Ａ６、Ａ８を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８
で表示される。但しＲは近軸曲率半径である。面番号の右側に＊を付した面は、非球面であることを示す。また「ｅ−Ｚ」の表示は「１０−Ｚ」を意味する。
【００７８】
［数値実施例１］
単位 mm
面データ
面番号       r        d      nd         νd
1          ∞       0.70   1.51000    60.0
2          ∞     (可変)
3        -65.737    3.95   2.00069    25.5
4        -22.170    3.52
5*       -14.334    3.00   1.63550    23.8
6*       110.330    0.30
7*        48.492    6.84   1.53110    55.9
8*       -21.874    1.20
9*       128.789    1.41   1.63550    23.8
10*        22.276    1.20
11         39.057    8.21   1.83481    42.7
12        -39.057   27.00
13  (アイポイント)
非球面データ
第5面
K =-7.28787e-001  A 4=-6.03675e-005  A 6= 1.77471e-007
第6面
K = 4.51650e+001  A 4=-1.11796e-005  A 6=-6.19143e-008
第7面
K =-4.38548e+000  A 4=-2.38798e-005  A 6=-2.65742e-008
第8面
K =-1.22703e+000  A 4=-4.69821e-006  A 6= 3.91413e-008
第9面
K =-2.69921e+002  A 4=-1.52881e-007  A 6=-4.63945e-009
第10面
K =-4.63925e+000  A 4= 4.39848e-006  A 6= 5.19693e-010
各種データ
視度[diopter] -2.0     +2.5     -6.0
焦点距離      28.56    28.56    28.56
d 2            9.12    12.79     5.80
【００７９】
［数値実施例２］
単位 mm
面データ
面番号       r        d      nd         νd
1          ∞       0.70   1.51000    60.0
2          ∞     (可変)
3        -65.913    3.14   2.00069    25.5
4        -48.248   10.11
5        -34.250    3.19   1.76182    26.5
6      -1000.301    1.69
7*     -4010.368    6.95   1.58313    59.4
8*       -44.146    1.21
9*       161.388    5.20   1.63550    23.8
10*        44.387    1.20
11         64.814    8.88   1.83481    42.7
12        -64.313   27.00
13  (アイポイント)
非球面データ
第7面
K = 1.33592e+004  A 4=-7.84416e-006  A 6= 7.50739e-009
第8面
K =-6.98689e-001  A 4= 3.30466e-006  A 6=-8.53288e-009
第9面
K =-2.65944e+002  A 4=-3.33664e-006  A 6=-9.10796e-009
第10面
K =-9.09514e+000  A 4=-5.30646e-006  A 6= 3.91499e-009
各種データ
視度[diopter] -2.0     +0.7     -3.3
焦点距離      61.32    61.32    61.32
d 2           21.46    31.12    17.55
【００８０】
［数値実施例３］
単位 mm
面データ
面番号       r        d      nd         νd
1          ∞       0.70   1.51000    60.0
2          ∞     (可変)
3*       -98.827   11.19   1.85135    40.1
4*       -71.371   20.00
5*       -49.765    3.00   1.63550    23.8
6*      -407.575    1.11
7*     -1171.461    7.94   1.49171    57.4
8*       -82.367    1.20
9*       219.883    3.76   1.63550    23.8
10*        74.863    1.23
11*        95.021    8.12   1.80610    40.7
12*       -92.616   27.00
13  (アイポイント)
非球面データ
第3面
K = 4.54099e-001  A 4= 3.40725e-008  A 6= 7.53032e-011  A 8=-1.51639e-013
第4面
K = 3.40970e-001  A 4= 8.48720e-008  A 6=-4.76459e-011  A 8= 1.79616e-014
第5面
K = 3.53841e-001
第6面
K =-1.00057e+003
第7面
K =-2.99780e+003  A 4=-5.75156e-006  A 6= 7.03535e-009
第8面
K =-1.18365e+000  A 4= 4.34382e-006  A 6=-5.53385e-009
第9面
K = 1.75400e+001  A 4=-2.52412e-006  A 6=-7.75632e-009
第10面
K =-1.05760e+001  A 4=-6.88282e-006  A 6= 3.02568e-009
第11面
K = 3.83428e+000
第12面
K = 1.63448e+000
各種データ
視度[diopter] -2.0     +2.0     -4.0
焦点距離      91.98    91.98    91.98
d 2           31.59    66.08    20.00
【００８１】
［数値実施例４］
単位 mm
面データ
面番号       r        d      nd         νd
1          ∞       0.70   1.51000    60.0
2          ∞     (可変)
3      -1201.003   20.00   1.48749    70.2
4        -89.718   20.00
5*       -64.550    3.06   1.63550    23.8
6*      -160.023    2.00
7*      -230.109    3.54   1.53110    55.9
8*      -119.762    1.20
9*       -86.800   12.72   1.63550    23.8
10*      -103.753    1.20
11       5354.752    4.23   1.60311    60.6
12       -123.568    1.20
13        178.678    3.96   1.51633    64.1
14       -395.781   27.00
15  (アイポイント)
非球面データ
第5面
K = 2.64919e+000  A 4=-7.42759e-007
第6面
K =-6.77987e+001  A 4=-2.49183e-008
第7面
K = 6.98083e+001  A 4=-1.18509e-006
第8面
K = 5.02189e+000  A 4=-2.98254e-006  A 6=-1.01200e-009
第9面
K = 2.92913e+000  A 4= 1.34769e-006
第10面
K = 1.50370e+000  A 4=-8.31493e-007
各種データ
視度[diopter] -2.0     +2.0     -4.0
焦点距離     104.68   104.68   104.68
d 2           32.12    76.83    17.13
【００８２】
［数値実施例５］
単位 mm
面データ
面番号       r        d      nd         νd
1          ∞       0.70   1.51000    60.0
2          ∞     (可変)
3*       136.125    8.69   1.69350    53.2
4*       -43.222    8.67
5*       -28.738    3.00   1.63550    23.8
6*       -89.027    0.30
7*      -231.429    5.74   1.53110    55.9
8*       -46.578    2.68
9*       -39.537    2.66   1.63550    23.8
10*       -55.894    1.84
11*     -2299.162    5.94   1.53110    55.9
12*       -60.213    1.20
13        110.718    4.00   1.55332    71.7
14       -332.326   27.00
15  (アイポイント)
非球面データ
第3面
K =-6.07439e+000  A 4=-1.82896e-006  A 6=-5.07089e-009
第4面
K = 5.99930e-001  A 4= 1.41427e-006  A 6= 4.25770e-010
第5面
K = 1.13826e-001  A 4=-6.11987e-007  A 6= 2.58066e-008
第6面
K =-7.86704e+000  A 4= 6.27492e-007  A 6=-5.81898e-010
第7面
K =-3.07481e+001  A 4=-8.80513e-007  A 6=-3.57889e-009
第8面
K = 5.53963e-001  A 4=-2.76657e-006  A 6= 4.45282e-009
第9面
K =-1.40844e-001  A 4= 1.47140e-006  A 6=-7.32877e-009
第10面
K = 3.06010e+000  A 4= 6.99258e-007  A 6= 1.21727e-009
第11面
K = 1.00225e+004  A 4=-2.66396e-007  A 6= 8.58565e-011  A 8= 9.72106e-013
第12面
K =-3.51427e-001  A 4= 2.36708e-007  A 6= 2.33340e-010  A 8=-4.05287e-013
各種データ
視度[diopter] -2.0     +2.0     -4.0
焦点距離      45.99    45.99    45.99
d 2           19.29    27.62    15.12
【００８３】
続いて、各数値実施例における上述した条件式の数値を表１に示す。
【００８４】
【表１】
2016051062.tif 000003
【００８５】
次に各実施例に示したような接眼レンズを用いたビデオカメラの実施形態について、図１１を用いて説明する。
【００８６】
図１１において、１０はビデオカメラ本体であり、１１は、不図示の撮像素子上に被写体像を形成する撮像光学系、１２は集音マイクである。１３は、不図示の画像表示素子に表示された被写体像を、本発明の接眼レンズを介して観察するための観察装置（電子ビューファインダー）である。画像表示素子は液晶パネル等により構成され、画像表示素子には、撮影光学系１１によって形成された物体像等が表示される。
【００８７】
このように本発明の接眼レンズを、ビデオカメラ等の撮像装置に適用することにより、軽量でありながら、高い光学性能を有する撮像装置を得ることができる。
【符号の説明】
【００８８】
Ｌ  接眼レンズ
Ｉ  画像表示面
ＥＰ  アイポイント
【図１】
2016051062.tif 000004
【図２】
2016051062.tif 000005
【図３】
2016051062.tif 000006
【図４】
2016051062.tif 000007
【図５】
2016051062.tif 000008
【図６】
2016051062.tif 000009
【図７】
2016051062.tif 000010
【図８】
2016051062.tif 000011
【図９】
2016051062.tif 000012
【図１０】
2016051062.tif 000013
【図１１】
2016051062.tif 000014